【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  第1の電子機器から送出される所定のデジタル信号を第２の電子機器で受信させるデジタル信号伝送方法において、
上記第２の電子機器は、上記第1の電子機器に対して、上記第１の電子機器が送出可能な上記デジタル信号の伝送モードについて問い合わせる、問い合わせコマンドを送出し、
上記問い合わせコマンドに応じて上記第１の電子機器が送信した、上記第１の電子機器が送出可能な上記デジタル信号の伝送モードに関するデータを受信し、
上記受信した上記第１の電子機器が送出可能な上記デジタル信号の伝送モードから所望の伝送モードを選択し、
上記第１の電子機器に対して、上記選択した伝送モードにて上記第１の電子機器が上記第２の電子機器へ上記デジタル信号を送出するよう要求する
ことを特徴とするデジタル信号伝送方法。
【請求項２】  請求項１記載のデジタル信号伝送方法において、
上記デジタル信号の伝送モードは、上記第１の電子機器が送出するデジタル信号の再生速度に関するモードを含む
ことを特徴とするデジタル信号伝送方法。
【請求項３】  請求項２記載のデジタル信号伝送方法において、
上記第1の電子機器が送出するデジタル信号の再生速度に関するモードは、上記第1の電子機器から送出するデジタル信号の再生速度がそれぞれ異なる複数種類の再生速度モードを含む
ことを特徴とするデジタル信号伝送方法。
【請求項４】  請求項１記載のデジタル信号伝送方法において、
上記デジタル信号の伝送モードは、上記第1の電子機器からのデジタル信号の送出状態をロックするロックモードを含む
ことを特徴とするデジタル信号伝送方法。
【請求項５】  請求項４記載のデジタル信号伝送方法において、
上記ロックモードは、上記第1の電子機器から送出するデジタル信号の再生速度がそれぞれ異なる複数種類のモードを備える
ことを特徴とするデジタル信号伝送方法。
【請求項６】  請求項４記載のデジタル信号伝送方法において、
上記ロックする伝送モードを設定したとき、そのロックする伝送モードから他の伝送モードへの変化の指令が出来るのは、伝送モードを設定させた上記第２の電子機器だけに制限する
ことを特徴とするデジタル信号伝送方法。
【請求項７】  請求項４記載のデジタル信号伝送方法において、
上記ロックする伝送モードを設定したとき、上記デジタル信号の受信状態に基づいた上記第２の電子機器からの指令で、上記第１の電子機器から送出されるデジタル信号の伝送レートの調整を行う
ことを特徴とするデジタル信号伝送方法。
【請求項８】  請求項１記載のデジタル信号伝送方法において、
上記第２の電子機器からの指令は、他の端末から上記第２の電子機器に伝送される指令に基づいて行う
ことを特徴とするデジタル信号伝送方法。
【請求項９】  請求項１記載のデジタル信号伝送方法において、
上記第２の電子機器からの指令は、上記第１の電子機器から上記第２の電子機器に伝送される指令に基づいて行う
ことを特徴とするデジタル信号伝送方法。
【請求項１０】  第１の電子機器から送出される所定のデジタル信号を、第２の電子機器で受信させるデジタル信号伝送方法において、
上記第１の電子機器から送出されるデジタル信号に、上記第２の電子機器からの指令に基づいて伝送レートの調整が行われていることを示すフラグを付加する
ことを特徴とするデジタル信号伝送方法。
【請求項１１】  請求項１０記載のデジタル信号伝送方法において、
上記フラグが立てられているとき、上記第２の電子機器での受信状態に基づいて、標準の伝送レートと、標準の伝送レートよりも高いレートと、標準の伝送レートよりも低いレートの少なくとも３種類の伝送レートの指令を行う
ことを特徴とするデジタル信号伝送方法。
【請求項１２】  第１の電子機器から送出される所定のデジタル信号を、双方向通信可能な所定の伝送路で接続された第１の電子機器で受信するデジタル信号伝送システムにおいて、
上記第１の電子機器は、上記デジタル信号の送出モードを設定するモード設定手段と、上記モード設定手段で設定されるモードの制御を行うモード制御手段と、上記伝送路で接続された相手と通信を行う送信元伝送手段とを備え、
上記第２の電子機器は、上記デジタル信号の伝送を制御する伝送制御手段と、上記伝送路で接続された相手と通信を行う受信先伝送手段とを備え、
上記第２の電子機器の受信先伝送手段は、上記第1の電子機器に対して、上記第１の電子機器が送出可能な上記デジタル信号の伝送モードについて問い合わせる、問い合わせコマンドを送出し、
上記問い合わせコマンドに応じて上記第１の電子機器の送信元伝送手段が送信した、上記第１の電子機器が送出可能な上記デジタル信号の伝送モードに関するデータを上記第２の電子機器の受信先伝送手段が受信し、
上記第２の電子機器の伝送制御手段は、上記受信した上記第１の電子機器が送出可能な上記デジタル信号の伝送モードから所望の伝送モードを選択し、
上記第２の電子機器の受信先伝送手段が、上記第１の電子機器に対して、上記選択した伝送モードにて上記第１の電子機器が上記第２の電子機器へ上記デジタル信号を送出するよう要求する
ことを特徴とするデジタル信号伝送システム。
【請求項１３】  請求項１２記載のデジタル信号伝送システムにおいて、
上記デジタル信号の伝送モードは、上記第１の電子機器が送出するデジタル信号の再生速度に関するモードを含む
ことを特徴とするデジタル信号伝送システム。
【請求項１４】  請求項１３記載のデジタル信号伝送システムにおいて、
上記第1の電子機器が送出するデジタル信号の再生速度に関するモードは、上記第1の電子機器から送出するデジタル信号の再生速度がそれぞれ異なる複数種類の再生速度モードを含む
ことを特徴とするデジタル信号伝送システム。
【請求項１５】  請求項１２記載のデジタル信号伝送システムにおいて、
上記デジタル信号の伝送モードは、上記第1の電子機器からのデジタル信号の送出状態をロックするロックモードを含む
ことを特徴とするデジタル信号伝送システム。
【請求項１６】  請求項１５記載のデジタル信号伝送システムにおいて、
上記モード設定手段で設定されるロックモードは、上記第1の電子機器から送出するデジタル信号の再生速度がそれぞれ異なる複数種類のモードを備える
ことを特徴とするデジタル信号伝送システム。
【請求項１７】  請求項１５記載のデジタル信号伝送システムにおいて、
上記モード設定手段でロックする伝送モードを設定したとき、そのロックする伝送モードから他の伝送モードへの変化は、伝送モードを設定させた上記第２の電子機器からの指令を、上記送信元伝送手段が受信したときだけに制限する
ことを特徴とするデジタル信号伝送システム。
【請求項１８】  請求項１５記載のデジタル信号伝送システムにおいて、
上記モード設定手段でロックする伝送モードを設定したとき、上記受信先伝送手段は、上記デジタル信号の伝送レートを調整する指令を送出し、上記送信元伝送手段が受信した伝送レートを調整する指令に基づいて、上記第1の電子機器から送出されるデジタル信号の伝送レートの調整を行う
ことを特徴とするデジタル信号伝送システム。
【請求項１９】  請求項１２記載のデジタル信号伝送システムにおいて、
上記受信先伝送手段は、上記伝送路に接続された他の端末との間でもデータ伝送を行い、上記受信先伝送手段が上記他の端末から受信した指令に基づいて、上記受信先伝送手段が上記第1の電子機器に対する指令の送出を行う
ことを特徴とするデジタル信号伝送システム。
【請求項２０】  請求項１２記載のデジタル信号伝送システムにおいて、
上記受信先伝送手段が上記第1の電子機器から受信した指令に基づいて、上記受信先伝送手段が上記第1の電子機器に対する指令の送出を行う
ことを特徴とするデジタル信号伝送システム。
【請求項２１】  第1の電子機器から送出される所定のデジタル信号を、双方向通信可能な所定の伝送路で接続された第２の電子機器で受信するデジタル信号伝送システムにおいて、
上記第1の電子機器は、上記デジタル信号の送出状態を制御する送出制御手段と、上記伝送路で接続された相手と通信を行う送信元伝送手段とを備え、
上記第２の電子機器は、上記デジタル信号の受信状態を制御する受信制御手段と、上記伝送路で接続された相手と通信を行う受信先伝送手段とを備え、
上記送信元伝送手段から送出されるデジタル信号の所定位置に、上記第２の電子機器の上記受信制御手段からの指令に基づいて伝送レートの調整が行われていることを示すフラグを付加する
ことを特徴とするデジタル信号伝送システム。
【請求項２２】  請求項２１記載のデジタル信号伝送システムにおいて、
上記フラグが立てられているとき、上記受信制御手段が判断した受信状態に基づいて、標準の伝送レートと、標準の伝送レートよりも高いレートと、標準の伝送レートよりも低いレートの少なくとも３種類の伝送レートの指令を上記受信先伝送手段が送出する
ことを特徴とするデジタル信号伝送システム。
【請求項２３】  所定の伝送路で接続された相手に対して所定のデジタル信号を送信するデジタル信号伝送装置において、
上記デジタル信号の送出モードを設定するモード設定手段と、
上記伝送路で接続された相手と通信を行うと共に、上記モード設定手段で設定可能なモードに関するデータを送出する伝送手段とを備え、
上記伝送手段で、伝送モードについて問い合わせる問い合わせコマンドを受信した場合に、その受信した問い合わせコマンドに応じて、上記設定可能なモードに関するデータを上記伝送手段が送出する
ことを特徴とするデジタル信号伝送装置。
【請求項２４】  請求項２３記載のデジタル信号伝送装置において、
上記デジタル信号の伝送モードは、上記伝送手段が送出するデジタル信号の再生速度に関するモードを含む
ことを特徴とするデジタル信号伝送装置。
【請求項２５】  請求項２４記載のデジタル信号伝送装置において、
上記伝送手段が送出するデジタル信号の再生速度に関するモードは、上記伝送手段から送出するデジタル信号の再生速度がそれぞれ異なる複数種類の再生速度モードを含む
ことを特徴とするデジタル信号伝送装置。
【請求項２６】  請求項２３記載のデジタル信号伝送装置において、
上記伝送手段が受信したモードを指定するデータに基づいて、上記モード設定手段で送出モードを設定する
ことを特徴とするデジタル信号伝送装置。
【請求項２７】  請求項２３記載のデジタル信号伝送装置において、
上記モード設定手段で設定されるモードは、上記モード設定手段で設定されるモードをロックするロックモードを備える
ことを特徴とするデジタル信号伝送装置。
【請求項２８】  請求項２７記載のデジタル信号伝送装置において、
上記モード設定手段で設定されるロックモードは、デジタル信号の再生速度がそれぞれ異なる複数種類のモードを備える
ことを特徴とするデジタル信号伝送装置。
【請求項２９】  請求項２７記載のデジタル信号伝送装置において、
上記モード設定手段でロックモードを設定したとき、そのロックモードの解除は、上記所定の伝送路で接続された特定の相手からの指令を上記伝送手段が判断したとき行う
ことを特徴とするデジタル信号伝送装置。
【請求項３０】  所定の伝送路で接続された相手から送信される所定のデジタル信号を受信するデジタル信号伝送装置において、
上記伝送路で接続された相手に対して上記デジタル信号を送出可能なモードに関するデータを問い合わせる指令を生成する制御手段と、
上記制御手段で生成された指令を上記伝送路に送出する伝送手段とを備えた
ことを特徴とするデジタル信号伝送装置。
【請求項３１】  請求項３０記載のデジタル信号伝送装置において、
上記伝送手段が送出する指令は、相手の機器が送出するデジタル信号の再生速度に関するモードを問い合わせる
ことを特徴とするデジタル信号伝送装置。
【請求項３２】  請求項３１記載のデジタル信号伝送装置において、
上記デジタル信号の再生速度に関するモードは、上記相手の機器が送出するデジタル信号の再生速度がそれぞれ異なる複数種類の再生速度モードを含む
ことを特徴とするデジタル信号伝送装置。
【請求項３３】  請求項３０記載のデジタル信号伝送装置において、
上記制御手段は、上記伝送手段が送出した指令に対する応答から用意されたモードを判断して、その中からモードを選択し、上記伝送手段は、その選択したモードのデータを上記伝送路に送出する
ことを特徴とするデジタル信号伝送装置。
【請求項３４】  所定の伝送路で接続された相手に対して所定のデジタル信号を送信するデジタル信号伝送装置において、
上記デジタル信号の送出を制御する制御手段と、
上記伝送路で接続された相手と通信を行うと共に、上記制御手段での制御に基づいて、送出される上記デジタル信号の所定位置に、伝送レートの調整が行われていることを示すフラグを付加する伝送手段とを備えた
ことを特徴とするデジタル信号伝送装置。
【請求項３５】  請求項３４記載のデジタル信号伝送装置において、
上記フラグが立てられているとき、上記伝送手段から送出されるデジタル信号は、上記伝送路で接続された相手側からの指示に基づいて、標準の伝送レートと、標準の伝送レートよりも高いレートと、標準の伝送レートよりも低いレートの少なくとも３種類の伝送レートのいずれかが設定される
ことを特徴とするデジタル信号伝送装置。
【請求項３６】  所定の伝送路で接続された相手から送信される所定のデジタル信号を受信するデジタル信号伝送装置において、
上記伝送路で接続された相手と通信を行うと共に、受信したデータの所定位置に付加されているフラグを抽出する伝送手段と、
上記伝送手段が抽出したフラグが所定の状態のとき、上記伝送路で接続された相手に対して、上記デジタル信号の伝送レートを調整させる指令を生成させて、上記伝送手段を介して伝送させる制御手段とを備えた
ことを特徴とするデジタル信号伝送装置。
【請求項３７】  少なくとも２台の端末間での所定のデジタル信号の伝送を制御するプログラムが記録された記録媒体において、
デジタル信号送信元が上記デジタル信号を送出可能なモードに関するデータを、デジタル信号受信先から要求させるステップと、
上記ステップにより得たデータで示されるモードの中から所望の伝送モードを選択し、その選択したモードのデータを上記デジタル信号送信元に対して送るステップとを備えたプログラムが記録された記録媒体。